(57)【要約】【課題】車両搭載機器において上方に搭載される機器の操作による表示が、下方に搭載される機器の表示部に表示されるとき、操作する手に隠れて表示部が見えなくなることを防止可能な着脱式前面パネル付車両搭載機器とする。【解決手段】車両に搭載する第１機器１１と第２機器４１の各前面パネルを、従来の防犯用ＤＦと同様に着脱自在とし、そのＤＦコネクタ２５、５５を共通形式として、各着脱式前面パネルＡ１３、Ｂ４３をいずれの機器に対しても着脱交換可能とする。各機器本体１２、４２の装着ＤＦデータ取込部１８、４８は、装着した着脱式前面パネルＡ１３、Ｂ４３の機器データを取り込み、それに応じて操作信号取込部２６、５６の操作信号、及び表示信号を対応する機器に出力する。それにより、操作部のある着脱式前面パネルを下方に配置し、表示部は上方に配置可能となり、操作する手で表示部が隠れなくなる。【選択図】図１
2006218986.tif 000002
【特許請求の範囲】
【請求項１】
複数種類の着脱式前面パネルを選択的に接続可能なＤＦコネクタと、
装着した着脱式前面パネルが取り込んだ利用者の操作信号を入力する操作信号入力手段と、
装着した着脱式前面パネルの固有のデータを取り込む装着ＤＦデータ取込手段と、
着脱式前面パネルに表示信号を出力する表示信号出力手段と、
接続する他の機器と表示信号の入出力を行う表示信号外部入出力手段と、
接続する他の機器と機器操作信号の入出力を行う機器作動信号外部入出力手段とを備えたことを特徴とする着脱式前面パネル付車両搭載機器。  
【請求項２】
前記表示信号出力手段は、前記装着ＤＦデータ取込手段で取り込んだ、装着した着脱式前面パネルの表示画面の大きさに応じて、表示出力を変更することを特徴とする請求項１記載の着脱式前面パネル付車両搭載機器。
【請求項３】
利用者の操作信号を下方に配置した着脱式前面パネルから取り込み、
前記操作信号による表示出力を上方に配置した着脱式前面パネルの表示部に行うことを特徴とする請求項１記載の着脱式前面パネル付車両搭載機器。
【請求項４】
前記表示信号出力手段は、前記装着ＤＦデータ取込手段で取り込んだデータにより、装着した着脱式前面パネルと他の機器に装着した着脱式前面パネルとのいずれかを選択して出力を行うことを特徴とする請求項１記載の着脱式前面パネル付車両搭載機器。
【請求項５】
前記表示信号出力手段は、前記装着ＤＦデータ取込手段で取り込んだデータにより、装着した着脱式前面パネルと他の機器に装着した着脱式前面パネルの両方に対して、表示手段に対応した所定の表示出力を行うことを特徴とする請求項１記載の着脱式前面パネル付車両搭載機器。
【請求項６】
前記操作信号入力手段で入力した操作信号を、前記装着ＤＦデータ取込手段で取り込んだデータにより、操作信号を入力した機器、或いはその機器と接続した他の機器へ選択して出力を行う出力選択手段を備えたことを特徴とする請求項１記載の着脱式前面パネル付車両搭載機器。
【発明の詳細な説明】
【技術分野】
【０００１】
本発明は、例えば車両搭載オーディオ機器表面部分の表示・操作部のみを着脱自在とし、利用者が車両から離れるときにはこれを取り外して持ち出すことによりオーディオ機器等の盗難を防止し、車両に乗るときには再びこれを装着して利用することができるようにした、デタッチャブルフェース（ＤＦ）機能を備えた着脱式前面パネル付車両搭載機器に関する。
【背景技術】
【０００２】
車両にはオーディオ装置やナビゲーション装置が搭載され、車両の利用者にとってはなくてはならないものとなっている。これらの機器は年々高級化し、高価なものとなっており、このような車両搭載機器の盗難が多発している。特に車両に対して後から自分の好みのオーディオ装置等を、車両搭載機器の規格である１ＤＩＮ或いは２ＤＩＮ等任意のものを選択して搭載するようにしたものにおいては、これらの機器の盗難に遭うことがある。
【０００３】
したがってその対策として、例えば図５に示すように、車両搭載オーディオ装置等の本体７１と、その表面に配置される表示・操作部としての前面パネル７２とを着脱可能とし、利用者が車両から離れるときにはこの前面パネル７２を取り外して持ち出し、車両に乗るときには再びこの前面パネル７２を本体に装着して利用することができるようにした、デタッチャブルフェース（ＤＦ）機能を備えた着脱式前面パネル付車両搭載機器も多くなっている。
【０００４】
このような着脱式前面パネルの着脱方式としては種々のものが提案されているが、図５に例示する機器においては、表示部７３と各種操作部７４とを備えると共に、内部に操作信号入力部及び表示処理部等を備えた着脱式前面パネル７２（ＤＦノーズとも称する）の片側側面に凹嵌部７５を備え、これを本体７１の前面パネル装着部７６における内側壁に設けた突起７７と嵌合可能としている。また本体７１には係合突起受け部７８を設けると共に、コネクタ受け部７９を備え、係合突起受け部７８は着脱式前面パネル７２の裏面に突設した図示されていない係合突起を受けることにより装着固定可能としている。また、このとき着脱式前面パネル７２の裏面に設けた図示されていないコネクタ挿入部が本体７１の前記コネクタ受け部７９に嵌入し、信号線及び電力供給線が互いに接続できるようにしている。なお、コネクタ受け部とコネクタ挿入部とによってコネクタが構成される。
【０００５】
上記のような着脱式前面パネルを備えた１ＤＩＮ規格のＤＦ機器を２個車両に搭載する場合は、例えば図６（ａ）に示すような、使用時に本体から前面上方に突出するモニタ８１と、表示部８２と各種操作部８３とを備えた着脱式前面パネル８４、及び図示されていない機器本体とからなるナビゲーション装置８５と、同図（ｂ）に示すようなタッチ操作式表示部８６を備えた着脱式前面パネル８７、及び図示されていない機器本体とからなるオーディオ装置８８を用いる場合がある。このような機器構成で車両に搭載するときには、例えば図７（ａ）に示すように、モニタ８１が前面に突出するナビゲーション装置８５は上方に配置せざるを得ず、したがってオーディオ装置８８は下方に配置されることとなる。
【０００６】
なお、上記のような盗難防止を目的とした着脱式前面パネルを備えた車載用機器については例えば実開平５−７９７８３号公報に示されており、同公報には車両に取り付けられる機器本体に対して前面パネルに相当するノーズピース部を着脱式とし、更に機器本体に対して着脱自在なノーズピースアダプタを設け、このノーズピースアダプタとケーブルで任意の位置に移動可能に接続したケースの前面に同じノーズピースを着脱可能とすることにより、車載用機器の表示、操作部を運転者等の使用しやすい位置に配置することができるようにしている。
【特許文献１】実開平５−７９７８３号公報
【発明の開示】
【発明が解決しようとする課題】
【０００７】
図６に示すような機器構成によって車両に図７（ａ）のように搭載した場合において、特にナビゲーション装置８５が車両搭載機器の総合制御可能なヘッドユニットの機能を兼ねており、それに対してオーディオ装置８８はヘッドユニットによっても操作することができるようにしたスレイブ型のオーディオ装置のときは、例えば図７（ｂ）に示すように、ナビゲーション装置８５の各種操作部８３を利用者が操作することによって、オーディオ装置８８の作動選択等の基本機能を設定する場合が生じる。そのときには、ヘッドユニットとしてのナビゲーション装置８５の小型の表示部８２に一部が表示され、更に詳細なステータス表示や各種機能表示を、オーディオ装置８８の比較的大型の表示部８６に表示する場合が生じる。
【０００８】
利用者がこのようにナビゲーション装置８５の各種操作部８３を操作するときには、例えば図７（ｂ）に模式的に示すように、利用者の指及び手９０が下方に配置されているオーディオ装置８８の表示部８６をほとんどふさいでしまい、実質的にこの状態では見ることができなくなってしまい、極めて利用性の悪い機器配置となってしまう。このようなことは上記のような機器構成の場合に限らず、特に上方に搭載される機器の操作部によって下方に搭載される機器の操作も行うことができるようになっている場合には、下方の機器の表示部が見えなくなるという同様の問題を生じることとなる。
【０００９】
したがって本発明は、車両搭載機器において例えば上方に搭載される機器の操作部の操作による表示が下方に搭載される機器の表示部に表示されるような場合には、ＤＦ機能を利用して、上方に搭載される機器の操作部を下方に、また下方に搭載される機器の表示部を上方に移動することができるようにした着脱式前面パネル付車両搭載機器を提供することを主たる目的としている。
【課題を解決するための手段】
【００１０】
本発明に係る着脱式前面パネル付車両搭載機器は、複数種類の着脱式前面パネルを選択的に接続可能なＤＦコネクタと、装着した着脱式前面パネルが取り込んだ利用者の操作信号を入力する操作信号入力手段と、装着した着脱式前面パネルの固有のデータを取り込む装着ＤＦデータ取込手段と、着脱式前面パネルに表示信号を出力する表示信号出力手段と、接続する他の機器と表示信号の入出力を行う表示信号外部入出力手段と、接続する他の機器と機器操作信号の入出力を行う機器作動信号外部入出力手段とを備えたことを特徴とする。  
【００１１】
本発明に係る他の着脱式前面パネル付車両搭載機器は、前記表示信号出力手段が、前記装着ＤＦデータ取込手段で取り込んだ、装着した着脱式前面パネルの表示画面の大きさに応じて、表示出力を変更することを特徴とする。
【００１２】
本発明に係る他の着脱式前面パネル付車両搭載機器は、利用者の操作信号を下方に配置した着脱式前面パネルから取り込み、前記操作信号による表示出力を上方に配置した着脱式前面パネルの表示部に行うことを特徴とする。
【００１３】
本発明に係る他の着脱式前面パネル付車両搭載機器は、前記表示信号出力手段が、前記装着ＤＦデータ取込手段で取り込んだデータにより、装着した着脱式前面パネルと他の機器に装着した着脱式前面パネルとのいずれかを選択して出力を行うことを特徴とする。
【００１４】
本発明に係る他の着脱式前面パネル付車両搭載機器は、前記表示信号出力手段が、前記装着ＤＦデータ取込手段で取り込んだデータにより、装着した着脱式前面パネルと他の機器に装着した着脱式前面パネルの両方に対して所定の表示出力を行うことを特徴とする。
【００１５】
本発明に係る他の着脱式前面パネル付車両搭載機器は、前記操作信号入力手段で入力した操作信号を、前記装着ＤＦデータ取込手段で取り込んだデータにより、操作信号を入力した機器、或いはその機器と接続した他の機器へ選択して出力を行う出力選択手段を備えたことを特徴とする。
【発明の効果】
【００１６】
本発明は上記のように構成したので、車両搭載機器において複数の機器を搭載するとき、上方に搭載される機器の操作部の操作時において、これを操作する利用者の手によって操作に関連する表示が隠れて見えなくなることを確実に防止することができる。
【発明を実施するための最良の形態】
【００１７】
本発明は、車両搭載機器において上方に搭載される機器の操作部の操作時に、これを操作する利用者の手によって操作に関連する表示が隠れることを防止するという目的を、複数種類の着脱式前面パネルを選択的に接続可能なＤＦコネクタと、装着した着脱式前面パネルが取り込んだ利用者の操作信号を入力する操作信号入力手段と、装着した着脱式前面パネルの固有のデータを取り込む装着ＤＦデータ取込手段と、着脱式前面パネルに表示信号を出力する表示信号出力手段と、接続する他の機器と表示信号の入出力を行う表示信号外部入出力手段と、接続する他の機器と機器操作信号の入出力を行う機器作動信号外部入出力手段とを備えることにより実現する。
【実施例１】
【００１８】
本発明の実施例を図面に沿って説明する。図１は本発明による着脱式前面パネルを備えた車両搭載機器の一実施例を示す機能ブロック図であり、これらの機能部の作動概要は図２に、また実例を図３、図４に示している。なお図１において各機能を行う機能部は、各々各機能を行う手段と言うこともできる。
【００１９】
図示する例においては、車両に搭載する１ＤＩＮ型の第１機器１１と、同様に１ＤＩＮ型の第２機器４１とを、機器コネクタ３２を介して相互に通信可能に接続した例を示しており、例えば第１機器１１が前記図６（ａ）に示すようなナビゲーション装置、第２機器４１が図６（ｂ）に示すようなオーディオ装置のように、それぞれは別々の作動を行い、そのための機能部を別途備えているものの、第１機器１１の機器本体１２には前記図５に例示するように着脱可能な着脱式前面パネルＡ１３が、また第２機器４１の機器本体４２には着脱式前面パネルＢ４３がそれぞれに機器前面に、且つ着脱可能、しかも相互に取り替え可能に取り付けられている例を示している。
【００２０】
図１の例においては第１機器１１と第２機器４１は各々同様の機能部を備えることによって本発明を実施可能としており、第１機器１１（第２機器４１）は、機器本体１２（４２）と、これに対して着脱自在に着脱式前面パネルＡ１３（Ｂ４３）をＤＦコネクタ２５（５５）によって接続し、この部分で着脱自在に取り付けている。機器本体１２（４２）にはシステム制御部１５（４５）を備え、図示されていないナビゲーション装置、或いはオーディオ装置としての機能を制御すると共に、本発明を行うための後述するような各種機能をソフトウエアにより総合的に制御可能としている。
【００２１】
装着ＤＦデータ取込部１８（４８）は、この機器本体に取り付けられた着脱式前面パネルＡ１３（４３）に設けられた機器データ記録部３１に記録されている、この着脱式前面パネルについて予め設定された機器型式のデータ等を取り込む。即ち、現在機器本体１５（４５）に取り付けられている着脱式前面パネルＡ１３（Ｂ４３）が、後述するように交換して取り付けられることとなるときに、機器本体の装着ＤＦデータ取込部１８（４８）の作動により現在取り付けられている着脱式前面パネルがどのような型式であるかを検出できるようにし、それにより表示部３０（６０）の大きさ、操作信号取込部２６（５６）におけるリモコン信号入力、タッチパネル入力等の取り込み手法の相違に対応可能としている。
【００２２】
システム制御部１５（４５）は装着ＤＦデータ取込部１８（４８）から取り込んだ前記のようなデータに基づき、現在取り付けられている着脱式前面パネルＡ１３（Ｂ４３）の表示部３０（６０）、或いは他の着脱式前面パネルＢ４３（Ａ１３）の表示部６０（３０）が大型、中型、小型等の大きさ及び表示方式等を判別し、その大きさ等に対応した表示を行うための表示信号を表示信号出力部１７（４７）からＤＦコネクタ２５（５５）を介して、着脱式前面パネルＡ１３（Ｂ４３）に、或いは表示信号外部入出力部２２（５２）に出力する。着脱式前面パネルＡ１３（Ｂ４３）では、その信号を表示信号入力部２８から入力し、入力した表示用データを表示処理部２９（４９）で表示を行うための処理を行い、表示部３０（６０）に出力して所定の表示を行う。
【００２３】
着脱式前面パネルＡ１３（Ｂ４３）には操作信号取込部２６（５６）を備え、例えば前記のようなリモコン信号入力、タッチパネル入力、更にはキースイッチ等のそれぞれ特有の操作信号を取り込み、操作信号出力部２７（５７）からＤＦコネクタ２５（５５）を介して、機器本体１２（４２）に出力し、機器本体１２（４２）では操作信号入力部１６（４６）でこれを入力する。また、システム制御部１５（４５）がその操作信号を判断し、自分の機器用の操作信号であると判別したときには機器作動信号内部出力部２１（５１）から自分の機器に操作信号として取り込み、他の機器用のものであると判別したときには機器作動信号外部入出力部２３（５３）から他の機器側に出力する。
【００２４】
それにより、例えば上方に配置された第１機器１１の機器本体１２が図３（ａ）に示すようにナビゲーション装置で、下方に配置された第２機器４１の機器本体４２がオーディオ装置であって、相互の前面パネルを図３（ｂ）に示すように交換するときには、上方に配置されている機器本体１２に装着された着脱式前面パネルＡとして、本来はオーディオ装置用のものが装着され、下方に配置されている機器本体４２に装着された着脱式前面パネルＢが本来はナビゲーション装置用のものが装着されて作動することが可能となる。
【００２５】
このような前面パネル交換型機器構成のときにおいて、図４に示すように着脱式前面パネルＢ４３の操作信号取込部５６に対して利用者がＶＩＣＳ情報表示指示等を行ったとき、その信号を前記のようにして機器作動信号外部入出力部５３から機器コネクタ３２を介して機器本体１２側の機器作動信号外部入出力部２３に出力し、機器作動信号外部入出力部２３はその信号を機器作動信号内部出力部２１に送って、ナビゲーション機能を行う機器本体１２がＶＩＣＳ情報の取り込み及び表示等の処理を行うことができるようになる。
【００２６】
また、上記機器構成のときにおいて、着脱式前面パネルＡ１３の操作信号取込部２６に対して利用者が次曲の選択等を切換ボタンを操作して指示を行ったときには、その信号を機器作動信号外部入出力部２３から機器コネクタ３２を介して機器本体４２側の機器作動信号外部入出力部５３に出力し、機器作動信号外部入出力部５３はその信号を機器作動信号内部出力部５１に送って、オーディオ機能を行う機器本体４２が次曲の選択等の作動を行うことができる。
【００２７】
更に、第１機器１１の機器本体１２がナビゲーション装置で、下方に配置された第２機器４１の機器本体４２がオーディオ装置であり、機器本体１２に装着された着脱式前面パネルＡ１３が本来のナビゲーション装置用のものであり、また、機器本体４２に装着された着脱式前面パネルＢ４３が本来のオーディオ装置用のものである通常型機器構成のときにおいて、着脱式前面パネルＡ１３の操作信号取込部２６においてＶＩＣＳ情報表示指示があったとき、その信号は直接、機器作動信号内部出力部２１から機器本体１２の作動信号として取り込まれ、ＶＩＣＳ情報の取り込み、表示処理等を行う。このような機器配置のときにおいて、着脱式前面パネルＢの操作信号取込部５６に対して指示を行った操作信号は、直接機器作動信号内部出力部５１から機器本体４２の操作信号として取り込まれることは上記と同様である。
【００２８】
これらの操作信号の出力先を適切に選択するために出力選択部２０（５０）を備え、出力選択部２０（５０）は前記装着ＤＦデータ取込部１８（４８）のデータにより、各機器に装着されている着脱式前面パネルを認識し、システム制御部１５（４５）の指示により出力先を選択する。この出力選択部２０は同様にして、各種作動時の表示信号を自分の機器に装着されている着脱式前面パネルＡ１３（Ｂ４３）か、或いは他の機器に装着されている着脱式前面パネルＢ４３（Ａ１３）かに選択して出力し、必要に応じて例えばナビゲーション装置用の異なった表示を各パネルにそれぞれ別々に振り分けて表示することができるようにする。
【００２９】
上記のような操作信号に応じた機器の作動が行われるとき、その時の各種表示のための信号が、前記のように出力選択部２０によって任意に行われ、前記前面パネル交換型機器構成で、ナビゲーション装置のみが作動しているとき、第１機器１１の機器本体１２に装着した着脱式前面パネルＡ１３がオーディオ装置用の大型の表示画面を備えているときには、通常は主モニタにＶＩＣＳ情報表示を行うところを、現在作動していないオーディオ装置用の大型の画面に文字表示等によって表示することができる。
【００３０】
このときは図４に示すように、ＶＩＣＳの表示部が上記機器構成において上方に配置されるオーディオ装置用着脱式前面パネル１３の表示部３０であるとき、その下方に配置されている着脱式前面パネル４３の操作部を操作している利用者の手６５によって、表示部３０に対する視界が妨げられることがなく、前記図７に示すような従来の装置の問題点を解決することができる。
【００３１】
また、機器本体１２のナビゲーション装置がオーディオ装置を含めた車両搭載機器の総合制御を行うヘッドユニットを兼ねており、他の機器本体４２のオーディオ装置がヘッドユニットによっても操作することができるスレイブ型の装置であったときには、図４に示すような前面パネル交換型機器構成で下方に配置されている着脱式前面パネルＢ４３を利用者が操作してオーディオのソース切替を行うとき、その切替時のオーディオ装置のステータス表示が上方に配置されている着脱式前面パネルＡ１３側に行われるので、このときもその表示部３０が上方に位置するため、操作部を操作している利用者の手６５によって表示部３０を見る視界が妨げられることがない。
【００３２】
上記のような着脱式前面パネルを任意に交換するためには、図５に示すコネクタ７９が各種の着脱式前面パネルが装着されることを予測して、本発明においては汎用式のものとしておくことが好ましく、更に装着される着脱式前面パネルに関する各種データは予め登録しておくことが好ましい。また、これらの車両搭載機器に装着される着脱式前面パネルは、各機器共通の構造をなすコネクタに対して、必要な接続ピンのみを使用する等により、全て共通に接続可能とする。
【００３３】
上記のような機能ブロックからなる装置は、例えば図２に示す作動フローによって順に作動させ、所定の機能を行うことができる。図２に示すＤＦ式２機器の操作・表示処理例においては、車両に搭載した例えば１ＤＩＮの型の機器が上下に配置され、各機器にはその前面に着脱式前面パネルが着脱可能となっている例であり、最初にこの両機器に着脱式前面パネル（ＤＦ）が装着されたか否かを判別している（ステップＳ１）。ここでは両方の機器に着脱式前面パネルが取り付けられたときに以降の作動を行うようにし、例えば１つの機器だけに着脱式前面パネルが取り付けられているときには、従来と同様の作動、或いはこの作動フローに準じた作動を行うようにする。
【００３４】
ステップＳ１で両機器に着脱式前面パネルが装着されたと判別したときには、各機器に装着した着脱式前面パネルは本来の機器のための着脱式前面パネルであるか否かを判別する（ステップＳ２）。ここで例えば図３（ｂ）に示されるように、上方に配置された機器がナビゲーション装置であり、下方に配置され他機器がオーディオ装置であるとき、その前面に装着された着脱式前面パネルが上にオーディオ装置用、下方にナビゲーション装置用の着脱式前面パネルが装着されているときには、各機器に装着したＤＦは本来の機器のＤＦではないと判別され、ステップＳ３に進み、それ以外のときにはステップＳ７に進む。このように機器本体に装着されている着脱式前面パネルが本来はどの機器に対するものであるかは、前記図１の着脱ＤＦデータ取込部１８、４８が、装着している着脱式前面パネルＡ、Ｂの機器データ記録部３１（６１）のデータを取り込むことにより判別することができる。
【００３５】
ステップＳ２において装着した着脱式前面パネルは本来の機器のものではないと判別してステップＳ３に進んだときには、図２に示す例においては、各機器は他の機器に装着された着脱式前面パネル（ＤＦ）に対応して表示出力を行う（ステップＳ３）。即ち、前記のように、例えば上方に配置された第１機器１１の機器本体１２が図３（ａ）に示すようにナビゲーション装置で、下方に配置された第２機器４１の機器本体４２がオーディオ装置であって、相互の前面パネルを図３（ｂ）に示すように交換し、機器本体１２に装着された着脱式前面パネルＡ１３が本来はオーディオ装置用のものが装着され、機器本体４２に装着された着脱式前面パネルＢ４３が本来はナビゲーション装置用のものが装着されているような前面パネル交換型機器構成のときには、上方に配置されているナビゲーション装置の本体では、下方に配置されている表示部に対して出力を行い、下方に配置されているオーディオ装置の本体では、上方に配置されている表示部に対して出力を行う。
【００３６】
その後、いずれかの着脱式前面パネル（ＤＦ）に利用者による操作信号が入力したか否かを判別する（ステップＳ４）。ここでいずれの機器の操作も行われないときには操作されるまで待機するが、この作動フロー以外の機能として、例えばナビゲーション装置は車両の走行と共に地図をスクロールする等の所定の作動が別途なされる。ここで利用者がナビゲーション装置に対してＶＩＣＳ情報の表示を行うため、下方に配置されているナビゲーション装置用の着脱式前面パネルのキー操作を行ったときはステップＳ５に進み、着脱式前面パネルの操作信号を、この操作部が装着された機器ではない他の機器に対して出力する（ステップＳ５）。
【００３７】
なお、ナビゲーション装置用の着脱式前面パネルに表示部が存在しないときは出力が行われず、また、上方に配置されたオーディオ装置用前面パネルがオーディオ装置の不作動によりオーディオの表示を行っていないときには、この表示部に対してＶＩＣＳ情報の表示を行うように指示することもできる。その後、各機器は入力した操作信号により作動を行い、再びステップＳ４に戻って、その後更にいずれかの着脱式前面パネルに対して操作がなされたか否かを判別し、同様の作動を繰り返す。
【００３８】
それに対して、前記ステップＳ２において各機器に装着した着脱式前面パネルが本来の機器のものであると判別したとき、即ち図３（ａ）に示すような機器配置であるときにはステップＳ７に進み、各機器は自機器に装着された着脱式前面パネルに対して表示出力を行う。その後、いずれかの着脱式前面パネルに対して操作信号を入力したか否かを判別し（ステップＳ８）、操作されないときにはそのまま待機し、操作されたときには着脱式前面パネルの操作信号をその着脱式前面パネルが装着されている自分の機器に対して出力する（ステップＳ９）。その後各機器はこの操作信号によって作動を行い（ステップＳ１０）、次いでステップＳ８に戻って同様の作動を繰り返す。
【産業上の利用可能性】
【００３９】
本発明による着脱式前面パネル付車両搭載機器は、前記１ＤＩＮを２つ搭載するものの他、車両の機器搭載部分の状態に応じて、更に１ＤＩＮを複数追加したものにおいても同様にして用いることができ、更に１ＤＩＮに限らず、２ＤＩＮを２個備えるものの等、種々の車両の内装状態に応じて実施することができる。
【図面の簡単な説明】
【００４０】
【図１】本発明の実施例の機能ブロック図である。
【図２】同実施例の作動フロー図である。
【図３】本発明において着脱式前面パネルを交換する例を示す説明図である。
【図４】本発明において着脱式前面パネルを交換して機器操作を行う状態を示す説明図である。
【図５】従来から提案されている着脱式前面パネルの取り外し状態の例を示す斜視図である。
【図６】車両に搭載する機器の例を示す図である。
【図７】従来例を示す図であり、（ａ）は車両搭載状態を示し、（ｂ）は利用者による操作時の例を示す図である。
【符号の説明】
【００４１】
１１  第１機器
１２、４２  機器本体
１３  着脱式前面パネルＡ
１５、４５  システム制御部
１６、４６  操作信号入力部
１７、４７  表示信号出力部
１８、４８  装着ＤＦデータ取込部
２０、５０  出力選択部
２１、５１  機器作動信号内部出力部
２２、５２  表示信号外部入出力部
２３、５３  機器作動信号外部入出力部
２５、５５  ＤＦコネクタ
２６、５６  操作信号取込部
２７、５７  操作信号出力部
２８、５８  表示信号入力部
２９、５９  表示処理部
３０、６０  表示部
３１、６１  機器データ記録部
４１  第２機器
４３  着脱式前面パネルＢ  
【図１】
2006218986.tif 000003
【図２】
2006218986.tif 000004
【図３】
2006218986.tif 000005
【図４】
2006218986.tif 000006
【図５】
2006218986.tif 000007
【図６】
2006218986.tif 000008
【図７】
2006218986.tif 000009